(57)【要約】【課題】ＳＤＲ信号の画像の色のバラツキを抑制しつつ、ホワイトバランス調整による輝度の低下を抑制したＨＤＲ信号の画像を表示する。【解決手段】判別部（１２）が画像信号は第２の画像信号であると判別した場合、表示制御部（１４）は、２つの原色のうち一方の原色に対するゲインの値であって、第１の所定の階調値よりも高い階調値におけるゲインの値を、設定された値よりも高い値に変更し、２つの原色のうち他方の原色に対するゲインの値であって、第１の所定の階調値とは異なる第２の所定の階調値よりも高い階調値におけるゲインの値を、設定された値よりも高い値に変更する。【選択図】図１
2018019431.tif 000002
【特許請求の範囲】
【請求項１】
各原色に対するゲインの値を設定することによってホワイトバランスを調整した画像を表示する表示装置であって、
入力された画像信号が第１の画像信号であるか、取り得る輝度のダイナミックレンジが第１の画像信号よりも広い第２の画像信号であるかを判別する判別部と、
上記判別部が、上記画像信号は第２の画像信号であると判別した場合、各原色のうち２つの原色に対するゲインを、設定された値よりも高い値に変更する表示制御部と、を備え、
上記判別部が上記画像信号は第２の画像信号であると判別した場合、上記表示制御部は、
上記２つの原色のうち一方の原色に対するゲインの値であって、第１の所定の階調値よりも高い階調値におけるゲインの値を、設定された値よりも高い値に変更し、
上記２つの原色のうち他方の原色に対するゲインの値であって、上記第１の所定の階調値とは異なる第２の所定の階調値よりも高い階調値におけるゲインの値を、設定された値よりも高い値に変更する、
ことを特徴とする表示装置。
【請求項２】
各原色に対するゲインの値を設定することによってホワイトバランスを調整した画像を表示する表示装置であって、
入力された画像信号が第１の画像信号であるか、取り得る輝度のダイナミックレンジが第１の画像信号よりも広い第２の画像信号であるかを判別する判別部と、
上記判別部が、上記画像信号は第２の画像信号であると判別した場合、各原色のうち２つの原色に対するゲインを、設定された値よりも高い値に変更する表示制御部と、を備え、
上記判別部が上記画像信号は第２の画像信号であると判別し、かつ、入力された画像信号が示す画像の階調値が、第１の所定の階調値より高い場合、上記表示制御部は、上記２つの原色のうち一方の原色に対するゲインを、設定された値よりも高い値に変更し、
上記判別部が上記画像信号は第２の画像信号であると判別し、かつ、入力された画像信号が示す画像の階調値が、上記第１の所定の階調値より高い第２の所定の階調値より高い場合、上記２つの原色に対するゲインを、設定された値よりも高い値に変更する、
ことを特徴とする表示装置。
【請求項３】
各原色に対するゲインの値を設定することによってホワイトバランスを調整した画像を表示する表示装置であって、
入力された画像信号が第１の画像信号であるか、取り得る輝度のダイナミックレンジが第１の画像信号よりも広い第２の画像信号であるかを判別する判別部と、
上記判別部が、上記画像信号は第２の画像信号であると判別した場合、各原色のうち２つの原色に対するゲインを、設定された値よりも高い値に変更する表示制御部と、を備え、
上記判別部が上記画像信号は第２の画像信号であると判別し、かつ、入力された第２の画像信号に含まれる輝度情報が示す輝度が第１の所定の輝度より高い場合、上記表示制御部は、上記２つの原色のうち一方の原色に対するゲインを、設定された値よりも高い値に変更し、
上記判別部が上記画像信号は第２の画像信号であると判別し、かつ、入力された第２の画像信号に含まれる輝度情報が示す輝度が、上記第１の所定の輝度より高い第２の所定の輝度より高い場合、上記表示制御部は、上記２つの原色に対するゲインを、設定された値よりも高い値に変更する、
ことを特徴とする表示装置。
【請求項４】
各原色に対するゲインの値を設定することによってホワイトバランスを調整した画像を表示する表示装置であって、
入力された画像信号が第１の画像信号であるか、取り得る輝度のダイナミックレンジが第１の画像信号よりも広い第２の画像信号であるかを判別する判別部と、
上記判別部が、上記画像信号は第２の画像信号であると判別した場合、各原色のうち２つの原色に対するゲインを、設定された値よりも高い値に変更する表示制御部と、を備え、
上記表示制御部は、
表示する画像の輝度を、複数のエリアに分割された当該複数のエリアごとに調整可能であり、
上記複数のエリアのうち最も輝度が高いエリアの輝度が、第１の所定の輝度よりも高い場合、上記表示制御部は、上記２つの原色のうち一方の原色に対するゲインを、設定された値よりも高い値に変更し、
上記複数のエリアのうち最も輝度が高いエリアの輝度が、上記第１の所定の輝度よりも高い第２の所定の輝度よりも高い場合、上記表示制御部は、上記２つの原色に対するゲインを、設定された値よりも高い値に変更する、
ことを特徴とする表示装置。
【請求項５】
上記表示制御部は、上記第１の所定の階調値および上記第２の所定の階調値をそれぞれ変更する、ことを特徴とする請求項１または２に記載の表示装置。
【請求項６】
上記表示制御部は、上記２つの原色に対するゲインの値をそれぞれ変更する、
ことを特徴とする請求項１〜５のいずれか１項に記載の表示装置。
【請求項７】
請求項１〜６の何れか１項に記載の表示装置を含む、
ことを特徴とするテレビジョン受像機。
【請求項８】
各原色に対するゲインの値を設定することによってホワイトバランスを調整した画像を表示する表示装置に画像を表示する表示方法であって、
入力された画像信号が第１の画像信号であるか、上記第１の画像信号が示す画像のダイナミックレンジよりも広いダイナミックレンジを有する画像を示す第２の画像信号であるかを判別する判別ステップと、
上記判別ステップにおいて、上記画像信号は第２の画像信号であると判別された場合、各原色のうち２つの原色に対するゲインの値を、設定された値よりも高い値に変更する表示制御ステップと、を含み、
上記判別ステップにおいて上記画像信号は第２の画像信号であると判別された場合、上記表示制御ステップにおいて、
上記２つの原色のうち一方の原色に対するゲインの値であって、第１の所定の階調値よりも高い階調値におけるゲインの値を、設定された値よりも高い値に変更し、
上記２つの原色のうち他方の原色に対するゲインの値であって、上記第１の所定の階調値とは異なる第２の所定の階調値よりも高い階調値におけるゲインの値を、設定された値よりも高い値に変更する、
ことを特徴とする表示方法。
【請求項９】
各原色に対するゲインの値を設定することによってホワイトバランスを調整した画像を表示する表示装置に画像を表示する表示方法であって、
入力された画像信号が第１の画像信号であるか、上記第１の画像信号が示す画像のダイナミックレンジよりも広いダイナミックレンジを有する画像を示す第２の画像信号であるかを判別する判別ステップと、
上記判別ステップにおいて、上記画像信号は第２の画像信号であると判別された場合、各原色のうち２つの原色に対するゲインの値を、設定された値よりも高い値に変更する表示制御ステップと、を含み、
上記判別ステップにおいて上記画像信号は第２の画像信号であると判別され、かつ、入力された画像信号が示す画像の階調値が、第１の所定の階調値より高い場合、上記表示制御ステップにおいて、上記２つの原色のうち一方の原色に対するゲインを、設定された値よりも高い値に変更し、
上記判別ステップにおいて上記画像信号は第２の画像信号であると判別され、かつ、入力された画像信号が示す画像の階調値が、上記第１の所定の階調値より高い第２の所定の階調値より高い場合、上記表示制御ステップにおいて、上記２つの原色に対するゲインを、設定された値よりも高い値に変更する、
ことを特徴とする表示方法。
【請求項１０】
各原色に対するゲインの値を設定することによってホワイトバランスを調整した画像を表示する表示装置に画像を表示する表示方法であって、
入力された画像信号が第１の画像信号であるか、上記第１の画像信号が示す画像のダイナミックレンジよりも広いダイナミックレンジを有する画像を示す第２の画像信号であるかを判別する判別ステップと、
上記判別ステップにおいて、上記画像信号は第２の画像信号であると判別された場合、各原色のうち２つの原色に対するゲインの値を、設定された値よりも高い値に変更する表示制御ステップと、を含み、
上記判別ステップにおいて、上記画像信号は第２の画像信号であると判別され、かつ、入力された第２の画像信号に含まれる輝度情報が示す輝度が第１の所定の輝度より高い場合、上記表示制御ステップにおいて、上記２つの原色のうち一方の原色に対するゲインを、設定された値よりも高い値に変更し、
上記判別ステップにおいて、上記画像信号は第２の画像信号であると判別され、かつ、入力された第２の画像信号に含まれる輝度情報が示す輝度が、上記第１の所定の輝度より高い第２の所定の輝度より高い場合、上記表示制御ステップにおいて、上記２つの原色に対するゲインを、設定された値よりも高い値に変更する、
ことを特徴とする表示方法。
【請求項１１】
各原色に対するゲインの値を設定することによってホワイトバランスを調整した画像を表示する表示装置に画像を表示する表示方法であって、
入力された画像信号が第１の画像信号であるか、上記第１の画像信号が示す画像のダイナミックレンジよりも広いダイナミックレンジを有する画像を示す第２の画像信号であるかを判別する判別ステップと、
上記判別ステップにおいて、上記画像信号は第２の画像信号であると判別された場合、各原色のうち２つの原色に対するゲインを、設定された値よりも高い値に変更する表示制御ステップと、
を含み、
上記表示制御ステップにおいて、表示する画像の輝度を、複数のエリアに分割された当該複数のエリアごとに調整可能であり、
上記表示制御ステップにおいて、
上記複数のエリアのうち最も輝度が高いエリアの輝度が、第１の所定の輝度よりも高い場合、上記２つの原色のうち一方の原色に対するゲインを、設定された値よりも高い値に変更し、
上記複数のエリアのうち最も輝度が高いエリアの輝度が、上記第１の所定の輝度よりも高い第２の所定の輝度より高い場合、上記２つの原色に対するゲインを、設定された値よりも高い値に変更する、
ことを特徴とする表示方法。
【請求項１２】
請求項１〜４のいずれか１項に記載の表示装置としてコンピュータを機能させるための制御プログラムであって、上記判別部、および上記表示制御部としてコンピュータを機能させるための制御プログラム。
【請求項１３】
請求項１２に記載の制御プログラムを記録したコンピュータ読み取り可能な記録媒体。
【発明の詳細な説明】
【技術分野】
【０００１】
本発明はホワイトバランスを調整した画像を表示する表示装置、当該表示装置を含むテレビジョン受像機、当該表示装置に画像を表示させる表示方法、当該表示装置としてコンピュータを機能させるための制御プログラム、および当該制御プログラムを記録した記録媒体に関する。
【背景技術】
【０００２】
一般に、表示装置が表示する画像のホワイトバランスには個体差がある。そのため、表示装置を製造する工程において、ホワイトバランスの調整が行われる。一方、ホワイトバランスの調整には輝度低下が伴うため、当該輝度低下を抑制した技術が求められている。
【０００３】
例えば、特許文献１には、白画像を表示したときの表示色が所定の目標範囲に含まれるように、目標範囲に含まれる表示色の収束点を、輝度低下がより小さくなるように設定するホワイトバランス調整方法が記載されている。
【０００４】
また、例えば、特許文献２には、ホワイトバランス調整後の画面輝度が基準輝度未満である場合、階調が固定されていない２色のうち少なくとも１色の階調を高く再調整する方法が記載されている。
【先行技術文献】
【特許文献】
【０００５】
【特許文献１】特開２０１３−１２６０４５号公報（２０１３年６月２４日公開）
【特許文献２】特開２０１４−１０９７１０号公報（２０１４年６月１２日公開）
【発明の概要】
【発明が解決しようとする課題】
【０００６】
しかしながら、上述した従来技術では、高コントラスト化された画像を表示するための画像信号であるＨＤＲ（High Dynamic Range）信号を取得した場合であっても、ホワイトバランスの調整によって、表示装置が出力可能な輝度より低い輝度の画像が表示されるという問題点がある。また、ＨＤＲ信号の画像を表示する場合を考慮し、輝度が高くなるようホワイトバランスを調整すると、ＳＤＲ信号の画像を表示したときに色のばらつきが大きくなってしまう。
【０００７】
本発明は、上記の課題に鑑みてなされてものであり、その目的は、ＳＤＲ信号の画像の色のバラツキを抑制しつつ、ホワイトバランス調整による輝度の低下を抑制したＨＤＲ信号の画像を表示する技術を提供することにある。
【課題を解決するための手段】
【０００８】
上記の課題を解決するために、本発明の一態様に係る表示装置は、各原色に対するゲインの値を設定することによってホワイトバランスを調整した画像を表示する表示装置であって、入力された画像信号が第１の画像信号であるか、取り得る輝度のダイナミックレンジが第１の画像信号よりも広い第２の画像信号であるかを判別する判別部と、上記判別部が、上記画像信号は第２の画像信号であると判別した場合、各原色のうち２つの原色に対するゲインを、設定された値よりも高い値に変更する表示制御部と、を備え、上記判別部が上記画像信号は第２の画像信号であると判別した場合、上記表示制御部は、上記２つの原色のうち一方の原色に対するゲインの値であって、第１の所定の階調値よりも高い階調値におけるゲインの値を、設定された値よりも高い値に変更し、上記２つの原色のうち他方の原色に対するゲインの値であって、上記第１の所定の階調値とは異なる第２の所定の階調値よりも高い階調値におけるゲインの値を、設定された値よりも高い値に変更する。
【０００９】
上記の課題を解決するために、本発明の一態様に係る表示装置は、各原色に対するゲインの値を設定することによってホワイトバランスを調整した画像を表示する表示装置であって、入力された画像信号が第１の画像信号であるか、取り得る輝度のダイナミックレンジが第１の画像信号よりも広い第２の画像信号であるかを判別する判別部と、上記判別部が、上記画像信号は第２の画像信号であると判別した場合、各原色のうち２つの原色に対するゲインを、設定された値よりも高い値に変更する表示制御部と、を備え、上記判別部が上記画像信号は第２の画像信号であると判別し、かつ、入力された画像信号が示す画像の階調値が、第１の所定の階調値より高い場合、上記表示制御部は、上記２つの原色のうち一方の原色に対するゲインを、設定された値よりも高い値に変更し、上記判別部が上記画像信号は第２の画像信号であると判別し、かつ、入力された画像信号が示す画像の階調値が、上記第１の所定の階調値より高い第２の所定の階調値より高い場合、上記２つの原色に対するゲインを、設定された値よりも高い値に変更する。
【００１０】
上記の課題を解決するために、本発明の一態様に係る表示装置は、各原色に対するゲインの値を設定することによってホワイトバランスを調整した画像を表示する表示装置であって、入力された画像信号が第１の画像信号であるか、取り得る輝度のダイナミックレンジが第１の画像信号よりも広い第２の画像信号であるかを判別する判別部と、上記判別部が、上記画像信号は第２の画像信号であると判別した場合、各原色のうち２つの原色に対するゲインを、設定された値よりも高い値に変更する表示制御部と、を備え、上記判別部が上記画像信号は第２の画像信号であると判別し、かつ、入力された第２の画像信号に含まれる輝度情報が示す輝度が第１の所定の輝度より高い場合、上記表示制御部は、上記２つの原色のうち一方の原色に対するゲインを、設定された値よりも高い値に変更し、上記判別部が上記画像信号は第２の画像信号であると判別し、かつ、入力された第２の画像信号に含まれる輝度情報が示す輝度が、上記第１の所定の輝度より高い第２の所定の輝度より高い場合、上記表示制御部は、上記２つの原色に対するゲインを、設定された値よりも高い値に変更する。
【００１１】
上記の課題を解決するために、本発明の一態様に係る表示装置は、各原色に対するゲインの値を設定することによってホワイトバランスを調整した画像を表示する表示装置であって、入力された画像信号が第１の画像信号であるか、取り得る輝度のダイナミックレンジが第１の画像信号よりも広い第２の画像信号であるかを判別する判別部と、上記判別部が、上記画像信号は第２の画像信号であると判別した場合、各原色のうち２つの原色に対するゲインを、設定された値よりも高い値に変更する表示制御部と、を備え、上記表示制御部は、表示する画像の輝度を、複数のエリアに分割された当該複数のエリアごとに調整可能であり、上記複数のエリアのうち最も輝度が高いエリアの輝度が、第１の所定の輝度よりも高い場合、上記表示制御部は、上記２つの原色のうち一方の原色に対するゲインを、設定された値よりも高い値に変更し、上記複数のエリアのうち最も輝度が高いエリアの輝度が、上記第１の所定の輝度よりも高い第２の所定の輝度よりも高い場合、上記表示制御部は、上記２つの原色に対するゲインを、設定された値よりも高い値に変更する。
【００１２】
上記の課題を解決するために、本発明の一態様に係る表示方法は、各原色に対するゲインの値を設定することによってホワイトバランスを調整した画像を表示する表示装置に画像を表示する表示方法であって、
入力された画像信号が第１の画像信号であるか、上記第１の画像信号が示す画像のダイナミックレンジよりも広いダイナミックレンジを有する画像を示す第２の画像信号であるかを判別する判別ステップと、上記判別ステップにおいて、上記画像信号は第２の画像信号であると判別された場合、各原色のうち２つの原色に対するゲインの値を、設定された値よりも高い値に変更する表示制御ステップと、を含み、上記判別ステップにおいて上記画像信号は第２の画像信号であると判別された場合、上記表示制御ステップにおいて、上記２つの原色のうち一方の原色に対するゲインの値であって、第１の所定の階調値よりも高い階調値におけるゲインの値を、設定された値よりも高い値に変更し、上記２つの原色のうち他方の原色に対するゲインの値であって、上記第１の所定の階調値とは異なる第２の所定の階調値よりも高い階調値におけるゲインの値を、設定された値よりも高い値に変更する。
【００１３】
上記の課題を解決するために、本発明の一態様に係る表示方法は、各原色に対するゲインの値を設定することによってホワイトバランスを調整した画像を表示する表示装置に画像を表示する表示方法であって、入力された画像信号が第１の画像信号であるか、上記第１の画像信号が示す画像のダイナミックレンジよりも広いダイナミックレンジを有する画像を示す第２の画像信号であるかを判別する判別ステップと、上記判別ステップにおいて、上記画像信号は第２の画像信号であると判別された場合、各原色のうち２つの原色に対するゲインの値を、設定された値よりも高い値に変更する表示制御ステップと、を含み、上記判別ステップにおいて上記画像信号は第２の画像信号であると判別され、かつ、入力された画像信号が示す画像の階調値が、第１の所定の階調値より高い場合、上記表示制御ステップにおいて、上記２つの原色のうち一方の原色に対するゲインを、設定された値よりも高い値に変更し、上記判別ステップにおいて上記画像信号は第２の画像信号であると判別され、かつ、入力された画像信号が示す画像の階調値が、上記第１の所定の階調値より高い第２の所定の階調値より高い場合、上記表示制御ステップにおいて、上記２つの原色に対するゲインを、設定された値よりも高い値に変更する。
【００１４】
上記の課題を解決するために、本発明の一態様に係る表示方法は、各原色に対するゲインの値を設定することによってホワイトバランスを調整した画像を表示する表示装置に画像を表示する表示方法であって、入力された画像信号が第１の画像信号であるか、上記第１の画像信号が示す画像のダイナミックレンジよりも広いダイナミックレンジを有する画像を示す第２の画像信号であるかを判別する判別ステップと、上記判別ステップにおいて、上記画像信号は第２の画像信号であると判別された場合、各原色のうち２つの原色に対するゲインの値を、設定された値よりも高い値に変更する表示制御ステップと、を含み、上記判別ステップにおいて、上記画像信号は第２の画像信号であると判別され、かつ、入力された第２の画像信号に含まれる輝度情報が示す輝度が第１の所定の輝度より高い場合、上記表示制御ステップにおいて、上記２つの原色のうち一方の原色に対するゲインを、設定された値よりも高い値に変更し、上記判別ステップにおいて、上記画像信号は第２の画像信号であると判別され、かつ、入力された第２の画像信号に含まれる輝度情報が示す輝度が、上記第１の所定の輝度より高い第２の所定の輝度より高い場合、上記表示制御ステップにおいて、上記２つの原色に対するゲインを、設定された値よりも高い値に変更する。
【００１５】
上記の課題を解決するために、本発明の一態様に係る表示方法は、各原色に対するゲインの値を設定することによってホワイトバランスを調整した画像を表示する表示装置に画像を表示する表示方法であって、入力された画像信号が第１の画像信号であるか、上記第１の画像信号が示す画像のダイナミックレンジよりも広いダイナミックレンジを有する画像を示す第２の画像信号であるかを判別する判別ステップと、上記判別ステップにおいて、上記画像信号は第２の画像信号であると判別された場合、各原色のうち２つの原色に対するゲインを、設定された値よりも高い値に変更する表示制御ステップと、を含み、上記表示制御ステップにおいて、表示する画像の輝度を、複数のエリアに分割された当該複数のエリアごとに調整可能であり、上記表示制御ステップにおいて、上記複数のエリアのうち最も輝度が高いエリアの輝度が、第１の所定の輝度よりも高い場合、上記２つの原色のうち一方の原色に対するゲインを、設定された値よりも高い値に変更し、上記複数のエリアのうち最も輝度が高いエリアの輝度が、上記第１の所定の輝度よりも高い第２の所定の輝度より高い場合、上記２つの原色に対するゲインを、設定された値よりも高い値に変更する。
【発明の効果】
【００１６】
本発明の一態様によれば、第１の画像信号（ＳＤＲ信号）の画像の色のバラツキを抑制しつつ、ホワイトバランス調整による輝度の低下を抑制した画像であって、取り得る輝度のダイナミックレンジがＳＤＲ信号よりも広い第２の画像信号（ＨＤＲ信号）の画像を表示することができる。
【図面の簡単な説明】
【００１７】
【図１】本発明の実施形態１に係るテレビジョン受像機の要部構成を示すブロック図である。
【図２】本発明の実施形態１に係るテレビの一部として実現される表示装置、パーソナルコンピュータ、および携帯型情報端末装置を示す外観図である。
【図３】本発明の実施形態１に係るテレビが表示する画像の各原色に対するゲインを示すグラフである。
【図４】本発明の実施形態１に係るテレビが表示する輝度優先の画像の各原色に対するゲインを示すグラフである。
【図５】本発明の実施形態１に係るテレビが実行する処理の流れを示すフローチャートである。
【図６】本発明の実施形態２における所定の階調値をユーザが設定可能な構成を示す図である。
【図７】本発明の実施形態３における所定の階調値より高い階調値におけるゲインをユーザが設定可能な構成を示す図である。
【発明を実施するための形態】
【００１８】
〔実施形態１〕
以下、本発明の実施の形態について、図１〜図５を用いて詳細に説明する。
【００１９】
（テレビジョン受像機１）
図１は、実施形態１に係るテレビジョン受像機（表示装置）１の要部構成を示すブロック図である。テレビジョン受像機１（以下、単に「テレビ１」と称する）は、標準的なダイナミックレンジの画像信号であるＳＤＲ（standard dynamic range）信号（第１の画像信号）に加えて、取り得る輝度のダイナミックレンジがＳＤＲ信号よりも広いＨＤＲ（High Dynamic Range）信号（第２の画像信号）を取得し、当該画像信号に応じた画像を表示することができる。
【００２０】
ＨＤＲ信号が準拠する規格として、例えば、ＳＭＰＴＥ（Society of Motion Picture and Television Engineers）ＳＴ．２０８４−２０１４、ＣＴＡ（Consumer Technology Association）−８６１−Ｆなどにより規定される映像フォーマットがある。また、ＳＤＲ信号が準拠する規格として、例えば、Ｒｅｃ．ＩＴＵ−Ｒ  ＢＴ．７０９により規格される映像フォーマットがある。
【００２１】
さらに、テレビ１は、入力された画像信号がＨＤＲ信号であるか、またはＳＤＲ信号であるかに応じて、表示する画像の原色である赤（Ｒ）、緑（Ｇ）、および青（Ｂ）の少なくとも何れかに対するゲインの値を変更することにより、輝度優先の画像または色度優先の画像を表示する構成を備えている。この構成ならびに輝度優先の画像および色度優先の画像の詳細については、後述する。
【００２２】
テレビ１は、図１に示すように、画像信号取得部１０、判別部１２、表示制御部１４、表示部１６、記憶部１８、および操作受付部２０を備えている。
【００２３】
画像信号取得部１０は、画像信号を取得するインターフェースである。画像信号取得部１０が取得する画像信号の例として、チューナを介して取得したチューナ信号、ＨＤＭＩ（登録商標）（High-Definition Multimedia Interface：高精細度マルチメディアインターフェース）を介して取得したＨＤＭＩ信号、またはＣＶＢＳ（Composite Video, Blanking, and Sync：コンポジット映像信号）信号などが挙げられる。
【００２４】
判別部１２は、画像信号取得部１０が取得した画像信号が、ＨＤＲ信号であるかＳＤＲ信号であるかを判別する。
【００２５】
表示制御部１４は、後述する表示部１６を制御し、表示部１６に画像を表示させる。また、表示制御部１４は、判別部１２による判別結果に応じて、表示部１６に輝度優先の画像または色度優先の画像を表示させる。
【００２６】
表示部１６は、画像を表示する表示デバイスである。表示部１６は、バックライトを有した透過型の液晶パネルや有機ＥＬ（Electro luminescence）ディスプレイなどにより実現される。また表示部１６が表示する画像のホワイトバランスは、各原色に対するゲインの値を調整することにより、調整可能である。
【００２７】
記憶部１８は、データを格納することができるデバイスである。具体的には、記憶部１８には、ホワイトバランス調整後の各原色に対するゲインの値などが格納されている。
【００２８】
操作受付部２０は、ユーザの操作を受け付け、当該操作を示す操作情報を出力する。操作受付部２０は、リモートコントローラから送信される赤外線信号を受光する赤外線信号受光部や、スイッチ、タッチパッドなどにより実現される。
【００２９】
（テレビ１の外観）
図２は、実施形態１に係るテレビ１の一部として実現される表示装置２、パーソナルコンピュータ３、および携帯型情報端末装置４を示す外観図である。図２に示すように、表示装置２（図２の（ａ））、パーソナルコンピュータ３（図２の（ｂ））、または携帯型情報端末装置４（図２の（ｃ））は、テレビ１の一部として実現されるが、これに限定されるものではない。
【００３０】
（輝度優先の画像および色度優先の画像）
テレビ１が表示する輝度優先の画像および色度優先の画像について、図３および図４を用いて説明する。図３は、実施形態１に係るテレビ１が表示する画像の各原色に対するゲインを示すグラフである。図３の（ａ）は、ホワイトバランス調整前の各原色に対するゲインを示すグラフであり、（ｂ）は、ホワイトバランス調整後の各原色に対するゲインを示すグラフである。図４は、実施形態１に係るテレビ１が表示する輝度優先の画像の各原色に対するゲインを示すグラフである。図４の（ａ）は、輝度優先の画像の各原色に対するゲインの一例を示すグラフであり、（ｂ）は、輝度優先の画像の各原色に対するゲインの他の例を示すグラフであり、（ｃ）は、輝度優先の画像の各原色に対するゲインのさらに他の例を示すグラフである。
【００３１】
テレビ１が備える表示部１６は、表示する画像のホワイトバランスに個体差があるため、例えばテレビ１の製造工程においてホワイトバランスを調整する工程が実行される。このようなホワイトバランスを調整する工程の一例を、以下に説明する。
【００３２】
まず、図３の（ａ）に示すように、テレビ１は、入力された画像信号の階調値が最高階調値のときに、表示する画像の輝度が最高輝度になるように設定されたゲインで画像を表示する。続いて、テレビ１が表示する画像の色度が所定の色度になるように、各原色のうちいずれかの原色のゲインの値を固定し、他の２つの原色のゲインの値を低くする。例えば、赤（Ｒ）に対するゲインを固定してホワイトバランスを調整した場合、各原色に対するゲインは、図３の（ｂ）に示すグラフのようになる。このように調整されたホワイトバランスの画像は、輝度は低いが色度は調整されているため、テレビ１は当該画像を色度優先の画像として表示する。
【００３３】
一方、ホワイトバランスの調整によって低くしたゲインの値を高くすることにより、色度は所定の色度からずれるが輝度は高い画像、すなわち輝度優先の画像をテレビ１は表示することができる。テレビ１は、輝度優先の画像を、図４の（ａ）に示すように、緑（Ｇ）および青（Ｂ）に対するゲインの値を高くすることにより、表示することができる。
【００３４】
また、図４の（ｂ）および（ｃ）に示すように、テレビ１は、輝度優先の画像として、各原色のうち少なくとも何れかの原色に対するゲインの値であって、所定の階調値（第１の所定の階調値）より高い階調値におけるゲインを、輝度が上がるように変更した画像を表示してもよい。
【００３５】
例えば、図４の（ｂ）に示すように、最低階調値から階調値Ｌ１までにおける緑（Ｇ）に対するゲインの値を、色度優先の画像と同じゲインの値に設定する。また、階調値Ｌ１より高い階調値における緑（Ｇ）に対するゲインの値を、最大階調値の場合に輝度が最大になるように設定する。
【００３６】
青（Ｂ）のゲインについても同様に、最低階調値から階調値Ｌ２までにおける青（Ｂ）に対するゲインの値を、色度優先の画像と同じゲインの値に設定する。また、階調値Ｌ２より高い階調値における青（Ｂ）に対するゲインを、最大階調値の場合に輝度が最大になるように設定する。
【００３７】
このようにゲインの値を設定することにより、テレビ１は、階調値Ｌ１および階調値Ｌ２より低い階調値の画像は色度優先の画像で表示し、階調値Ｌ１および階調値Ｌ２より高い階調値の画像は輝度優先の画像で表示することができる。
【００３８】
また、他の例として、図４の（ｃ）に示すように、最低階調値から階調値Ｌ３までにおける緑（Ｇ）に対するゲインの値を色度優先の画像と同じゲインの値に設定する。また、階調値Ｌ３より高い階調値における緑（Ｇ）に対するゲインの値を、色度優先の画像におけるゲインの値より高く、かつ、最大階調値の場合に輝度が最大より低くなる値に設定する。
【００３９】
青（Ｂ）のゲインについても同様に、最低階調値から階調値Ｌ４までにおける青（Ｂ）に対するゲインの値を色度優先の画像と同じゲインの値に設定する。また、階調値Ｌ４より高い階調値における青（Ｂ）に対するゲインを、色度優先の画像におけるゲインの値より高く、かつ、最大階調値の場合に輝度が最大より低くなる値に設定する。
【００４０】
このようにゲインの値を設定することにより、テレビ１は、階調値Ｌ３および階調値Ｌ４より低い階調値の画像は色度優先の画像で表示し、階調値Ｌ３および階調値Ｌ４より高い階調値の画像は、色度のずれを抑制した輝度優先の画像として表示することができる。
【００４１】
なお、階調値Ｌ１〜階調値Ｌ４（以下、総称して「所定の階調値Ｌ」とも称する）は、同じ階調値であってもよい。
【００４２】
また、所定の階調値Ｌは任意の値であるが、例えば、テレビ１に入力された画像信号のヒストグラムにおいて、輝度の高さが上位１０％の階調値を所定の階調値Ｌとする方法が挙げられる。また、テレビ１に入力されたＨＤＲ信号に含まれる情報が示す輝度が、所定の輝度（例えば、表示部１６が表示可能な輝度の５０％の輝度など）より高くなる階調値を所定の階調値Ｌとする方法が挙げられる。
【００４３】
また、テレビ１が、表示部１６が複数のエリアに分割され、表示する画像の輝度を当該複数のエリアごとに調整可能な構成（いわゆる、ローカルディミング）を備えている場合、最も高い輝度が所定の輝度より高くなる階調値を所定の階調値Ｌとする方法が挙げられる。より具体的には、テレビ１が、全てのエリアを同じ輝度で点灯させたときに最も明るく表示できる輝度を１００％の輝度とすると、複数のエリアのうち一部のエリアを明るく点灯させた場合、全てのエリアを１００％の輝度で点灯させたときと比べて、当該一部のエリアに電力を集中させることができるので、当該一部のエリアでは、１００％以上の輝度を表示させることができる。そのため、上記所定の輝度として、例えば、表示部１６が１００％の輝度を所定の輝度として、１００％の輝度となる階調値を所定の階調値Ｌとする方法が挙げられる。
【００４４】
（テレビ１が実行する処理）
図５は、実施形態１に係るテレビ１が実行する処理の流れを示すフローチャートである。テレビ１が実行する処理（テレビ１に画像を表示する表示方法）について、図５を用いて説明する。
【００４５】
まず、図５の処理は、テレビ１に対して輝度優先の画像のホワイトバランスの調整と、色度優先の画像のホワイトバランスの調整が実行されており、調整後のそれぞれの各原色に対するゲインの値が、記憶部１８に格納されている状態において実行される。
【００４６】
（ステップＳ２）
画像信号取得部１０は、画像信号を取得する。画像信号取得部１０は、取得した画像信号を判別部１２に出力する。
【００４７】
（ステップＳ４：判別ステップ）
判別部１２は、画像信号取得部１０から出力された画像信号は、ＨＤＲ信号であるか否かを判定する。
【００４８】
（ステップＳ６：表示制御ステップ）
ステップＳ４において、「画像信号はＨＤＲ信号である」と判別された場合（ステップＳ４：ＹＥＳ）、表示制御部１４は、輝度優先の画像のホワイトバランス調整後の各原色に対するゲインの値を記憶部１８から取得することにより、輝度優先の画像を表示部１６に表示させる。
【００４９】
（ステップＳ８）
一方、ステップＳ４において、「画像信号はＨＤＲ信号ではない」と判別された場合（ステップＳ４：ＮＯ）、表示制御部１４は、色度優先の画像のホワイトバランス調整後の各原色に対するゲインの値を記憶部１８から取得することにより、色度優先の画像を表示部１６に表示させる。
【００５０】
このように本実施形態に係るテレビ１は、入力された画像信号がＨＤＲ信号である場合、輝度優先の画像を表示する。そのため、テレビ１は、入力された画像信号がＨＤＲ信号である場合、ホワイトバランス調整による輝度の低下を抑制した画像を表示することができる。
【００５１】
なお、テレビ１は、上述したステップＳ４の処理を実行せず、上述した図４の（ｂ）または（ｃ）に示すグラフのゲインの値で画像を表示する構成であってもよい。この場合、テレビ１は、入力された画像信号に関わらず、階調値が低い画像は色度を優先し、階調値が高い画像は輝度を優先する。そのため、テレビ１は、階調値が高い画像における色度のずれを抑制しつつ、高コントラスト化された画像を表示することができる。
【００５２】
また、表示制御部１４は、判別部１２が画像信号がＨＤＲ信号であると判別し、かつ、入力された画像信号が示す画像の階調値が、所定の階調値（第２の所定の階調値）より高い場合、各原色のうち少なくとも何れかの原色に対するゲインを、設定された値よりも高い値に変更した輝度優先の画像を表示する構成であってもよい。この場合、テレビ１は、所定の階調値より高い階調値の画像を表示するときに、輝度優先の画像を表示するので、高コントラスト化された画像を表示することができる。所定の階調値の例として、テレビ１に入力された画像信号のヒストグラムにおいて、輝度の高さが上位１０％の階調値を所定の階調値とする方法が挙げられる。
【００５３】
さらに、表示制御部１４は、判別部１２が画像信号はＨＤＲ信号であると判別し、かつ、入力されたＨＤＲ信号に含まれる輝度情報が示す輝度が所定の輝度（第１の所定の輝度）より高い場合、各原色のうち少なくとも何れかの原色に対するゲインを、設定された値よりも高い値に変更した輝度優先の画像を表示する構成であってもよい。この場合、テレビ１は、所定の輝度より高い輝度で画像を表示するときに、輝度優先の画像を表示するので、高コントラスト化された画像を表示することができる。所定の輝度の例として、表示部１６が表示可能な輝度の５０％の輝度、などが挙げられる。
【００５４】
さらに、テレビ１が上述したローカルディミングの構成を備えている場合、表示制御部１４は、判別部１２が画像信号はＨＤＲ信号であると判別し、かつ、複数のエリアのうち最も輝度が高いエリアの輝度が、所定の輝度（第２の所定の輝度）より高い場合、輝度優先の画像を表示する構成であってもよい。この場合、テレビ１は、表示可能な輝度が所定の輝度より高いときに、輝度優先の画像を表示するので、高コントラスト化された画像を表示することができる。所定の輝度の例として、例えば、表示部１６が表示可能な輝度の１００％の輝度、などが挙げられる。
【００５５】
また、テレビ１では、入力信号がＨＤＲ信号であるかＳＤＲ信号であるかに応じて異なるゲインの値が設定された画像を表示するか否かを、ユーザに設定させる構成であってもよい。例えば、テレビ１は、切替ＯＮ／ＯＦＦの操作を受け付けるメニュー画面を表示する。そして、操作受付部２０が、切替をＯＮにする旨の操作を受け付けた場合、入力信号がＨＤＲ信号であるかＳＤＲ信号であるかに応じて、異なるゲインの値が設定された画像を表示する。一方、操作受付部２０が、画像切替をＯＦＦにする旨の操作を受け付けた場合、入力信号がＨＤＲ信号であってもＳＤＲ信号であっても、同じゲインの値が設定された画像を表示する構成であってもよい。
【００５６】
〔実施形態２〕
本発明の他の実施形態について、以下に説明する。なお、説明の便宜上、前記実施形態にて説明した部材と同じ機能を有する部材については、同じ符号を付記し、その説明を省略する。実施形態２では、実施形態１における所定の階調値Ｌをユーザが設定する構成について、図６を用いて説明する。なお、本実施形態では、所定の階調値Ｌをユーザが設定する構成について記載しているが、階調値Ｌ１〜階調値Ｌ４をそれぞれ個別にユーザが設定できる構成であってもよい。
【００５７】
図６は、実施形態２における所定の階調値をユーザが設定可能な構成を示す図である。図６の（ａ）は、ユーザが所定の階調値を設定するためのメニュー画面の一例を示す図であり、（ｂ）は、ユーザが所定の階調値Ｌ１１を設定したときの各原色に対するゲインの一例を示すグラフであり、（ｃ）は、ユーザが所定の階調値Ｌ１２を設定したときの各原色に対するゲインの他の例を示すグラフであり、（ｄ）は、ユーザが所定の階調値Ｌ１３を設定したときの各原色に対するゲインのさらに他の例を示すグラフである。
【００５８】
テレビ１は、例えば図６の（ａ）に示すメニュー画面を表示することにより、ユーザに所定の階調値を設定させることができる。図６の（ａ）に示すメニュー画面では、操作受付部２０が、バー３０を左右に移動させる旨の操作をユーザから受け付ける。そして、表示制御部１４が、操作受付部２０が受け付けた操作に応じて所定の階調値を変更する。
【００５９】
例えば、図６の（ａ）に示すバー３０の位置に対応して、所定の階調値が図６の（ｂ）に示す階調値Ｌ１１に設定されている状態で、操作受付部２０が、バー３０の位置を左の「狭い」に移動させる旨の操作を受け付けた場合、表示制御部１４は所定の階調値を、図６の（ｃ）に示すように、階調値Ｌ１１より高い階調値Ｌ１２に設定する。一方、操作受付部２０が、バー３０の位置を右の「広い」に移動させる旨の操作を受け付けた場合、表示制御部１４は所定の階調値を、図６の（ｄ）に示すように、階調値Ｌ１１より低い階調値Ｌ１３に設定する。
【００６０】
このように、本実施形態２に係るテレビ１では、所定の階調値を設定する旨の操作を受け付けると、当該操作に応じて所定の階調値Ｌを変更する。そのため、テレビ１では、入力信号に応じた画像であり、かつ、ユーザが所望する画像を表示することができる。
【００６１】
〔実施形態３〕
本発明のさらに他の実施形態について、以下に説明する。なお、説明の便宜上、前記実施形態にて説明した部材と同じ機能を有する部材については、同じ符号を付記し、その説明を省略する。実施形態３では、実施形態１における所定の階調値Ｌより高い階調値におけるゲインの値をユーザが設定する構成について、図７を用いて説明する。なお、本実施形態では、ゲインの値が固定されている赤（Ｒ）以外の原色である緑（Ｇ）および青（Ｂ）に対するゲインの値をユーザが設定する構成について記載しているが、緑（Ｇ）および青（Ｂ）に対するゲインの値を個別にユーザが設定できてもよい。
【００６２】
図７は、実施形態３における所定の階調値Ｌ２０より高い階調値におけるゲインの値をユーザが設定可能な構成を示す図である。図７の（ａ）は、ユーザが所定の階調値Ｌ２０より高い階調値におけるゲインの値を調整するためのメニュー画面の一例を示す図であり、（ｂ）は、ユーザが所定の階調値Ｌ２０より高い階調値におけるゲインの値を設定したときの各原色に対するゲインの一例を示すグラフであり、（ｃ）は、ユーザが所定の階調値Ｌ２０より高い階調値におけるゲインの値を設定したときの各原色に対するゲインの他の例を示すグラフであり、（ｄ）は、ユーザが所定の階調値Ｌ２０より高い階調値におけるゲインの値を設定したときの各原色に対するゲインのさらに他の例を示すグラフである。
【００６３】
テレビ１は、例えば図７の（ａ）に示すメニュー画面を表示することにより、ユーザに所定の階調値Ｌより高い階調値におけるゲインの値を設定させることができる。図７の（ａ）に示すメニュー画面では、操作受付部２０が、バー３２を左右に移動させる旨の操作をユーザから受け付ける。そして、表示制御部１４が、操作受付部２０が受け付けた操作に応じて、所定の階調値Ｌより高い階調値におけるゲインの値を変更する。
【００６４】
例えば、図７の（ａ）に示すバー３２の位置に対応して、所定の階調値Ｌ２０より高い階調値におけるゲインが図７の（ｂ）に示すグラフのように設定されている状態で、操作受付部２０がバー３２の位置を左の「色度優先」に移動させる旨の操作を受け付けた場合、表示制御部１４は、図７の（ｃ）に示すように、所定の階調値Ｌ２０より高い階調値におけるゲインの値が低くなるように設定する。一方、操作受付部２０がバー３２の位置を右の「輝度優先」に移動させる旨の操作を受け付けた場合、表示制御部１４は、図７の（ｄ）に示すように、所定の階調値Ｌ２０より高い階調値におけるゲインの値が高くなるように設定する。
【００６５】
このように、本実施形態３に係るテレビ１では、所定の階調値Ｌ２０より高い階調値におけるゲインの値を設定する旨の操作を受け付けると、当該操作に応じて所定の階調値Ｌ２０より高い階調値におけるゲインの値を変更する。そのため、テレビ１では、入力信号に応じた画像であり、かつ、ユーザが所望する画像を表示することができる。
【００６６】
〔ソフトウェアによる実現例〕
テレビジョン受像機１の各ブロック（特に判別部１２および表示制御部１４）は、集積回路（ＩＣチップ）等に形成された論理回路（ハードウェア）によって実現してもよいし、ＣＰＵ（Central Processing Unit）を用いてソフトウェアによって実現してもよい。
【００６７】
後者の場合、テレビジョン受像機１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６８】
〔まとめ〕
本発明の態様１に係る表示装置（テレビジョン受像機１）は、各原色（Ｒ、Ｇ、Ｂ）に対するゲインの値を設定することによってホワイトバランスを調整した画像を表示する表示装置であって、入力された画像信号が第１の画像信号（ＳＤＲ信号）であるか、取り得る輝度のダイナミックレンジが上記第１の画像信号よりも広い第２の画像信号（ＨＤＲ信号）であるかを判別する判別部（１２）と、上記判別部が、上記画像信号は第２の画像信号であると判別した場合、各原色のうち少なくとも何れかの原色に対するゲインを、設定された値よりも高い値に変更する表示制御部（１４）と、を備える。
【００６９】
上記の構成によれば、本態様に係る表示装置は、入力された画像信号がＨＤＲ信号である場合、各原色のうち少なくとも何れかの原色に対するゲインを、ホワイトバランス調整によって設定された値よりも高い値に変更する。そのため、本態様に係る表示装置は、入力された画像信号がＨＤＲ信号である場合、ホワイトバランス調整による輝度の低下を抑制した画像を表示することができる。
【００７０】
本発明の態様２に係る表示装置において、上記態様１における上記判別部が上記画像信号は第２の画像信号であると判別した場合、上記表示制御部は、各原色のうち少なくとも何れかの原色に対するゲインの値であって、第１の所定の階調値よりも高い階調値におけるゲインの値を、設定された値よりも高い値に変更してもよい。
【００７１】
上記の構成によれば、本態様に係る表示装置は、第１の所定の階調値以下の階調値の画像として、ホワイトバランス調整によって設定された画像（色度優先の画像）を表示し、第１の所定の階調値よりも高い階調値の画像として、ホワイトバランス調整によって設定されたゲインの値よりも高い値が設定された画像（輝度優先の画像）を表示する。そのため、本態様に係る表示装置は、入力された画像信号がＨＤＲ信号である場合、高コントラスト化された画像を表示することができる。
【００７２】
本発明の態様３に係る表示装置において、上記態様２における上記表示制御部は、ユーザからの操作に応じて、上記第１の所定の階調値を変更してもよい。
【００７３】
上記の構成によれば、本態様に係る表示装置は、ユーザが所望する画像を表示することができる。
【００７４】
本発明の態様４に係る表示装置において、上記態様１〜３の何れかにおける上記表示制御部は、ユーザからの操作に応じて、各原色のうち少なくとも何れかの原色に対するゲインの値を変更してもよい。
【００７５】
上記の構成によれば、本態様に係る表示装置は、ユーザが所望する画像を表示することができる。
【００７６】
本発明の態様５に係る表示装置において、上記態様１〜４の何れかにおける上記判別部が上記画像信号は第２の画像信号であると判別し、かつ、入力された画像信号が示す画像の階調値が、第２の所定の階調値より高い場合、上記表示制御部は、各原色のうち少なくとも何れかの原色に対するゲインを、設定された値よりも高い値に変更してもよい。
【００７７】
上記の構成によれば、本態様に係る表示装置は、入力画像信号に第２の所定の階調値より高い階調値が含まれる場合、すなわち、高い輝度で表示する画像が含まれる場合、輝度優先の画像を表示する。そのため、本態様に係る表示装置は、入力された画像信号がＨＤＲ信号である場合、高コントラスト化された画像を表示することができる。
【００７８】
本発明の態様６に係る表示装置において、上記態様１〜５における上記判別部が上記画像信号は第２の画像信号であると判別し、かつ、入力された第２の画像信号に含まれる輝度情報が示す輝度が第１の所定の輝度より高い場合、上記表示制御部は、各原色のうち少なくとも何れかの原色に対するゲインを、設定された値よりも高い値に変更してもよい。
【００７９】
上記の構成によれば、本態様に係る表示装置は、入力されたＨＤＲ信号に含まれる輝度情報が示す輝度が第１の所定の輝度より高い場合、すなわち、高い輝度で表示する画像が含まれる場合、輝度優先の画像を表示する。そのため、本態様に係る表示装置は、入力された画像信号がＨＤＲ信号である場合、高コントラスト化された画像を表示することができる。
【００８０】
本発明の態様７に係る表示装置において、上記態様１〜６の何れかにおける上記表示制御部は、表示する画像の輝度を、複数のエリアに分割された当該複数のエリアごとに調整可能であり、上記複数のエリアのうち最も輝度が高いエリアの輝度が、第２の所定の輝度よりも高い場合、上記表示制御部は、各原色のうち少なくとも何れかの原色に対するゲインを、設定された値よりも高い値に変更してもよい。
【００８１】
上記の構成によれば、本態様に係る表示装置は、表示する画像の輝度を、複数のエリアに分割された当該複数のエリアごとに調整可能であり（換言すると、ローカルディミング機能を備えている）、最も輝度が高いエリアの輝度が、第２の所定の輝度よりも高い場合、すなわち、高い輝度で表示する画像が含まれる場合、輝度優先の画像を表示する。そのため、本態様に係る表示装置は、入力された画像信号がＨＤＲ信号である場合、高コントラスト化された画像を表示することができる。
【００８２】
本発明の態様８に係るテレビジョン受像機（１）は、上記態様１〜７の何れかに係る表示装置を含んでいる。
【００８３】
上記の構成によれば、上記態様１〜７の何れかに係る表示装置と同等の効果を奏するテレビジョン受像機が実現できる。
【００８４】
本発明の態様９に係る表示方法は、各原色に対するゲインの値を設定することによってホワイトバランスを調整した画像を表示する表示装置に画像を表示する表示方法であって、入力された画像信号が第１の画像信号であるか、取り得る輝度のダイナミックレンジが上記第１の画像信号よりも広い第２の画像信号であるかを判別する判別ステップと、上記判別ステップにおいて、上記画像信号は第２の画像信号であると判別された場合、各原色のうち少なくとも何れかの原色に対するゲインを、設定された値よりも高い値に変更する表示制御ステップと、含む。
【００８５】
上記の構成によれば、本態様に係る表示方法は、上記態様１に係る表示装置と同等の効果を奏する。
【００８６】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置の制御プログラム、およびそれを記録したコンピュータ読み取り可能な記録媒体も、本発明の範疇に入る。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８８】
１    テレビジョン受像機（表示装置）
１０  画像信号取得部
１２  判別部
１４  表示制御部
１６  表示部
１８  記憶部
２０  操作受付部
【図１】
2018019431.tif 000003
【図２】
2018019431.tif 000004
【図３】
2018019431.tif 000005
【図４】
2018019431.tif 000006
【図５】
2018019431.tif 000007
【図６】
2018019431.tif 000008
【図７】
2018019431.tif 000009